(57)【要約】【課題】  充電警告に移行する電圧になると、動いているはずのクロノグラフが急に止める制御を行う。この動作停止は自分の意としない動きであり、いつ電池電圧が無くなり計測が出来なくなるか不安であり、計測に支障をきたす場合があった。【解決手段】  電圧検出手段によって計時装置が通常動作可能な電圧状態を示す第一の動作状態と、該第一の動作状態よりも電圧が低下した充電警告状態であって、前記計時装置の最低限の動作を補償する電圧状態を示す第二の動作状態を検出し、時間計測手段の計測動作中に、電圧検出手段が前記第一の動作状態から前記第二の動作状態に移行したことを検出した場合でも、計測終了までの１回分の計測動作を維持する。【選択図】      図１
2006098073.tif 000002
【特許請求の範囲】
【請求項１】
経過時間を計測する時間計測手段と、該時間計測手段の経過時間を表示する表示手段と、該時間計測手段の動作を外部から開始、終了させるための外部入力手段と、電源装置とを備えた計時装置において、前記電源装置は、発電手段と、該発電手段により充電される蓄電手段と、該蓄電手段の電圧を検出する電圧検出手段とを備え、該電圧検出手段によって前記計時装置が通常動作可能な電圧状態を示す第一の動作状態と、該第一の動作状態よりも電圧が低下した充電警告状態であって、前記計時装置の最低限の動作を補償する電圧状態を示す第二の動作状態と、該第二の動作状態よりもさらに電圧が低下し、前記計時装置を強制的に低下させる電圧状態を示す第三の動作状態の少なくとも３つの電圧状態を検出し、前記時間計測手段の計測動作中に、前記電圧検出手段が前記第一の動作状態から前記第二の動作状態に移行したことを検出した場合でも、計測終了までの１回分の計測動作は維持されることを特徴とする計測装置。
【請求項２】
前記１回分の計測動作終了後、前記計測装置を充電警告状態に移行させることを特徴とする請求項1記載の計測装置。
【請求項３】
前記計測手段は、クロノグラフ機能であることを特徴とする請求項１記載の計測装置。
【請求項４】
前記計測手段は減算タイマ機能であることを特徴とする請求項１記載の計測装置。
【請求項５】
前記表示手段は指針であり、指針によって経過時間を表示することを特徴とする請求項１乃至請求項４に記載の計測装置。
【発明の詳細な説明】
【技術分野】
【０００１】
本発明は、時間計測手段を備えた計時装置に関する。
【背景技術】
【０００２】
従来、針を備えた多機能の計測装置としては、例えばクロノグラフ機能を有する計測装置がある。（例えば、特許文献１参照）。このような計測装置は、例えばクロノグラフ用の時クロノグラフ針、分クロノグラフ針、１秒クロノグラフ針、及び１／１０秒クロノグラフ針を有しており、計測装置に設けられているスタート／ストップボタンが押されることにより時間の計測を開始し、時クロノグラフ針、分クロノグラフ針、１秒クロノグラフ針、及び１／１０秒クロノグラフ針が回動する。そして再度スタート／ストップボタンが押されることにより時間の計測を終了し、時クロノグラフ針、分クロノグラフ針、１秒クロノグラフ針、及び１／１０秒クロノグラフ針が停止して計測時間を表示する。そして計測装置に設けられているリセットボタンが押されることにより計測時間をリセットし、時クロノグラフ針、分クロノグラフ針、１秒クロノグラフ針、及び１／１０秒クロノグラフ針が零位置に戻る。
【０００３】
また電圧検出手段を備えた多機能の計測装置は、二次電池の出力電圧により、計測装置の制御に規制をかけることが多い。例えば二次電池の出力電圧が２．００Ｖ以上であれば通常動作状態として時計機能・計測動作は可能とし、出力電池の電池電圧が２．００Ｖから１．８０Ｖの間であれば充電警告状態とし、充電を促す充電警告表示を行うと共に、二次電池の消耗を少なくするため時計機能のみ表示して計測動作を禁止する。さらに二次電池の出力電圧が１．８０Ｖから０．９０Ｖの間を検出するとマイコン強制停止状態とし、時計表示・充電警告表示をも停止させ、０．９Ｖ未満のマイコン動作不能状態まで出力電圧が下がるのを極力防いでいる。
【０００４】
【特許文献１】特許３４４６６０５号公報（第１−２頁、図２）
【０００５】
特許文献１によれば、クロノグラフが動作状態であるにもかかわらず、電池電圧の残容量が不足した場合にはクロノグラフ動作を停止している。これはクロノグラフが動作し続けることで電池電圧の残容量が低下し、マイコン動作停止電圧まで落ちることを防ぐためである。また計測動作が維持しなくても、最低限時計機能のみ動作させればよいという考え方からである。
【０００６】
以下、従来の計測装置の動作を図３、図７、図１０を用いて説明する。図３は従来の計測装置の電池電圧と経過時間の関係を示す相関図で、計測装置の通常動作状態からマイコン強制停止状態に至るまでの関係を示している。図７は従来の計測装置の時計動作２週間分に必要な消費電力量を示す図で、図１０は従来の計測装置の動作を示すフローチャートである。
【０００７】
従来、使用者に充電するように警告する充電警告を行なう場合に、電池電圧が低下して充電警告状態に移行し、時計機能のみが動作する状態になった後、約１日でマイコンの動作停止状態に移行してしまっては、使用者に充電警告状態を知らせる意味がない為、最低でも数週間は充電警告状態を維持できるように充電警告状態に移行する電圧が設定されている。この為、時計動作が数週間維持できる時計の電力消費量を予め測定しておき、消費される電力量により充電警告に移行する電圧が設定される。例えば、図７に示すように２週間で消費される電圧変動レベルが０．２Ｖとあらかじめ測定できていれば、図３に示す
ようにマイコン強制停止電圧である１．８Ｖから時計動作消費分の０．２Ｖを足して、充電警告状態に移行する電圧を２．００Ｖとすればよいことは明らかである。
【０００８】
ここで、計測装置の二次電池の出力電圧が２．００Ｖ未満に下がったとき、クロノグラフがラン状態の場合の動作を、図１０のフローチャートを用いて説明する。図１０において、二次電池の出力電圧は、計測装置が通常動作可能な２．００Ｖ以上の状態であると仮定する。ステップ１０１（以下ステップをＳと略記する）で、二次電池の出力電圧が通常動作可能な電圧レベルにあるため、残容量表示を「通常動作可能レベル表示」とし、Ｓ１０２の「時計機能１秒運針」の処理に進む。Ｓ１０２で「時計機能を１秒運針」させ、Ｓ１０３の「クロノ機能可能状態」の処理に進む。Ｓ１０３で「クロノ機能可能状態」の設定とし、Ｓ１０４に進む。すなわち、Ｓ１０３でクロノグラフがラン状態の場合はラン状態を維持し、Ｓ１０３でクロノグラフが停止状態あるいはリセット状態の場合は、スタート状態への移行準備状態を維持する。次に、Ｓ１０４で二次電池の出力電圧を検出して、「２．００Ｖ以上か否か」を判断し、「Ｙ」ならば、まだ「通常動作可能レベル表示」状態であるので、Ｓ１０１に戻る。「Ｎ」のときはＳ１０５に進んで「充電警告表示」に進み、残容量表示を「充電警告レベル表示」とし、Ｓ１０６に進む。
【０００９】
Ｓ１０６でクロノグラフの「クロノラン状態か否か」を判断し、ラン状態の場合は「Ｙ」となり、Ｓ１０７の「クロノ動作停止」の処理を行ない、Ｓ１０８に進む。また、ラン状態でない場合は「N」となり、Ｓ１０８に進む。Ｓ１０８では「時計機能２秒運針」の処理を行ない、充電を促すための２秒運針を開始してＳ１０９に進む。Ｓ１０９で二次電池の出力電圧を検出して、「２．００Ｖ以上か否か」を判断し、「Ｙ」であればＳ１０１の「通常動作可能レベル表示」に戻る。「Ｎ」であればマイコン強制停止電圧である「１．８０Ｖ未満か否か」を判断し、「Ｙ」であればＳ１１１の「マイコン強制停止状態」の処理に移行し、「Ｎ」であればＳ１０８の「時計機能２秒運針」の処理に戻る。
【発明の開示】
【発明が解決しようとする課題】
【００１０】
以上のようなクロノグラフを有する計測装置においては、充電警告状態に移行し、時計機能のみが動作可能な期間は例えば２週間である為、充電警告状態において、１／１０秒クロノ針等の速度の速いクロノ針を有するクロノグラフ機能を動作させると、通常運針の１０倍以上スピードで電力がなくなる為、二次電池の出力電圧が急激に低下し、マイコン強制停止状態になる危険性を有していた。
【００１１】
このため、計測動作中に充電警告に移行する電圧になった場合、動いているはずのクロノグラフを急に止める制御を行う必要があった。このクロノグラフ機能の動作停止は使用者の意図しない動きであり、いつ電池電圧が無くなり、いつ計測が出来なくなるかに関し、計測装置の使用者は常に不安であり、計測に支障をきたすという欠点を有していた。さらに、クロノグラフが急に止まることを体験すると、計測動作に対しての不信感につながるだけでなく計測装置そのものに対しても不信感を与えることにもなりかねないという欠点を有していた。
【００１２】
本発明の目的は、上述の欠点を解消し、使用者に不信感を与えることの無い計測装置を提供することである。
【課題を解決するための手段】
【００１３】
上記課題を解決するために、本発明の計測装置は、経過時間を計測する時間計測手段と、該時間計測手段の経過時間を表示する表示手段と、該時間計測手段の動作を外部から開始、終了させるための外部入力手段と、電源装置とを備えた計時装置において、前記電源装置は、発電手段と、該発電手段により充電される蓄電手段と、該蓄電手段の電圧を検出
する電圧検出手段とを備え、該電圧検出手段によって前記計時装置が通常動作可能な電圧状態を示す第一の動作状態と、該第一の動作状態よりも電圧が低下した充電警告状態であって、前記計時装置の最低限の動作を補償する電圧状態を示す第二の動作状態と、該第二の動作状態よりもさらに電圧が低下し、前記計時装置を強制的に低下させる電圧状態を示す第三の動作状態の少なくとも３つの電圧状態を検出し、前記時間計測手段の計測動作中に、前記電圧検出手段が前記第一の動作状態から前記第二の動作状態に移行したことを検出した場合でも、計測終了までの１回分の計測動作は維持されることを特徴とする。
【００１４】
以上の構成によれば、計測動作中に、電圧検出手段が第一の動作状態から第二の動作状態に移行したことを検出した場合でも、計測終了までの最低限である１回分の計測動作は維持されるので、使用者の意図しない計測動作の停止もなくなり、使用者に不信感を与えることの無い、より確実に計測動作を行うことことが可能な計測装置を提供することができる。
【００１５】
また、前記１回分の計測動作終了後、前記計測装置を充電警告状態に移行させることを特徴とする。
【００１６】
このように、計測動作終了後に充電警告状態に移行させることで、これ以上の計測動作は不可能であり、充電が必要なことを使用者に警告することができる。
【００１７】
また、計測手段は、クロノグラフ機能であることを特徴とする。
【００１８】
また、計測手段は減算タイマ機能であることを特徴とする。
【００１９】
このようにすれば、クロノグラフの計測動作中や減算タイマの計測動作中において電圧検出手段が第一の動作状態から第二の動作状態に移行したことを検出した場合でも、クロノグラフや減算タイマの計測終了までの最低限である１回分の計測動作は維持されるので、クロノグラフや減算タイマの計測動作は維持することができ、使用者の意図しないクロノグラフや減算タイマの計測動作の停止もなくなり、使用者に不信感を与えることの無い計測装置を提供することができる。
【００２０】
さらに、表示手段は指針であり、指針によって経過時間を表示することを特徴とする。
【００２１】
この構成にによれば、指針によって経過時間を表示することができるので、アナログ的な動きを表現することができる。
【発明の効果】
【００２２】
以上説明したごとく本発明によれば、充電警告に移行する電圧を１回分の計測を維持できる電圧値に設定することで、計測終了までの１回分の計測動作は維持されるので、わざわざ電源電圧の残容量不足により時間計測を止めて時計機能のみを動作させることは不要となり、計測動作に対しての不信感を与えない計測装置を提供する事ができる。
【発明を実施するための最良の形態】
【００２３】
以下、本発明の実施の形態を図面に基づいて詳述する。図１は本発明の計測装置の回路構成図、図２は本発明の計測装置の電池電圧と経過時間の関係を示す相関図で、計測装置の通常動作状態からマイコン強制停止状態に至るまでの関係を示している。図４は本発明の計測装置のクロノ動作１２時間分に必要なの消費電力量を表す図、図５、図６は本発明の計測装置の外観図で、図５は二次電池の残容量レベルが「Ｌ１」レベルであることを示す外観図、図６は二次電池の残容量レベルが「ＣＨＡＲＧＥ」レベルであることを示す外観図、図８は本発明の計測装置がクロノ６時間経過後にストップし、時計動作２週間経過
後に再びリスタートされたときの電池電圧の消費量と電池電圧との相関図、図９は本発明の計測装置の動作を示すフローチャートである。
【実施例１】
【００２４】
以下図１、図２、図４、図５、図６、図８、図９を適時参照しながら説明する。
図５、図６に示すように、本発明の計測装置７は、時針２３と分針２２と秒針２１からなる時刻表示部１９と、クロノ時針２６とクロノ分針２５とクロノ１／５秒針２４からなるクロノグラフ表示部２０と、後述する二次電池１４の残容量を表示する残容量針２７とからなる残容量表示部２８とを有し、前記クロノ時針２６と前記クロノ分針２５と前記クロノ１／５秒針２４によって時間計測手段の経過時間を表示するようになっている。
【００２５】
図１において、本発明の計測装置７は、発振器８と分周回路９とからなる基準信号発生手段１と、時刻タイマー手段１０１とクロノタイマー手段１０２からなる時間計測手段２と、ソーラーセル等からなる発電手段１６の発電の有無を検出する発電検出手段１５と発電手段１６からの発電エネルギーにより充電される逐電手段である二次電池１４と、二次電池１４の出力電圧を検出する電圧検出手段１３とから構成される電源装置４と、ＲＡＭ１０とＲＯＭ１１と制御装置（ＣＰＵ）（以下マイコンと略記する）１２からなる制御手段３と、時針２３と分針２２と秒針２１からなる時刻表示部１９、クロノ１／５秒針２４とクロノ分針２５とクロノ時針２６からなるクロノグラフ表示部２０、及び二次電池の残容量を表示する残容量針２７からなる残容量表示部２８を有する表示手段５と、時間計測手段２の動作を外部から開始、終了させるための操作スイッチＡ１７、操作スイッチＢ１８からなる外部入力手段６とから構成される。
【００２６】
基準信号発生手段１の発振器８は基準信号を発生し、該基準信号は分周回路９に入力され、分周回路９によって所定の周波数まで分周され、分周信号ＢＳとして時間計測手段２に入力される。また、前記基準信号は、クロック信号として制御手段３に入力される。時間計測手段２の時刻タイマー手段１０１は、マイコン１２のイネーブル信号Ｅ１によって分周回路９の分周信号ＢＳを入力信号として１秒毎にタイムアップ信号ＵＰ１を出力する。マイコン１２は、タイムアップ信号ＵＰ１をカウントし、このカウントに基づいて、時刻情報ＴＤを表示手段５に出力する。これにより、図示されていない時刻表示用のモータが駆動され、表示手段５の時刻表示部１９の時針２３と分針２２と秒針２１によって時刻が表示される。
【００２７】
経過時間を計測する時間計測手段２のクロノタイマー手段１０２はマイコン１２のイネーブル信号Ｅ２によって分周回路９の分周信号ＢＳを入力信号として０．１秒毎にタイムアップ信号ＵＰ２を出力する。マイコン１２はタイムアップ信号ＵＰ２を２回カウントする毎にクロノグラフ情報ＣＤを表示手段５のクロノグラフ表示部２０に出力する。これにより、図示されていないクロノグラフ用のモータが駆動され、表示手段５のクロノ１／５秒針２４とクロノ分針２５とクロノ時針２６によってクロノグラフ情報が表示される。
【００２８】
発電手段１６によって充電される二次電池１４の出力電圧は、電圧検出手段１３によって検出され、電圧検出手段１３は検出した結果をマイコン１２に出力する。マイコン１２は電圧検出手段１３の出力に基づいて電圧情報ＤＤを表示手段５の残容量表示部２８に出力する。これにより、図示されていない残容量表示用のモータが駆動され、残容量針２７により残容量が表示される。
【００２９】
次に本発明の計測装置の動作について説明する。はじめにクロノグラフ動作について説明する。
【００３０】
［クロノグラフのスタート］
クロノグラフをラン状態とさせたい場合は、操作スイッチＡ１７の操作によって行われる。マイコン１２は操作スイッチＡ１７の操作に基づいてイネーブル信号Ｅ２を出力する。マイコン１２のイネーブル信号Ｅ２によって分周回路９の分周信号ＢＳを入力信号として０．１秒毎にタイムアップ信号ＵＰ２を出力する。マイコン１２はタイムアップ信号ＵＰ２を２回カウントすることに基づいてクロノグラフ情報ＣＤを表示手段５に出力し、図示されていないクロノグラフ用のモータが駆動し、クロノグラフ表示部２０のクロノ１／５秒針２４を駆動させる。クロノ１／５秒針２４に連動してクロノ分針２５、クロノ時針２６も運針する。
【００３１】
［クロノグラフのストップ］
クロノグラフをストップ状態とさせたい場合は操作スイッチＡ１７の操作によって行われる。マイコン１２は操作スイッチＡ１７の操作に基づいてイネーブル信号Ｅ２の出力を停止する。イネーブル信号Ｅ２の出力を停止することにより、タイムアップ信号ＵＰ２の出力も停止させる。タイムアップ信号ＵＰ２の出力を停止することにより、図示されていないクロノグラフ用のモータが停止し、クロノ１／５秒針２４も停止する。クロノ分針２５、クロノ時針２６も連動して停止する。
【００３２】
［クロノグラフのリセット］
クロノグラフをリセットさせたい場合は、操作スイッチＢ１８の操作によって行われる。マイコン１２は操作スイッチＢ１８の操作に基づいてＲＡＭ１０に記憶されたクロノのカウント数をクリアすることで、クロノリセット状態となる。この状態では図示されていない復針機構によりクロノ１／５秒針２４、クロノ分針２５、クロノ時針２６は零位置に戻る。
【００３３】
次に、残容量表示に関する動作を図５、図６を用いて説明する。
【００３４】
図５、図６に示す「Ｌ１」〜「Ｌ３」は計時装置７が通常動作可能な電圧状態を示す第一の動作状態の充電量であることを示し、Ｌ３は例えば二次電圧の電圧が２．４３Ｖ以上の「充電量大（満充電）」、Ｌ２は二次電圧の電圧が２．３５Ｖ以上２．４３Ｖ未満の「充電量中」、Ｌ１は２．２５Ｖ以上２．３５Ｖ未満の「充電量小」を表している。また、図中の「ＣＨＡＲＧＥ」は前記第一の動作状態よりも電圧が低下した充電警告状態であって、前記計時装置の最低限の動作を補償する電圧状態を示す第二の動作状態であることを示し、例えば二次電圧の電圧が１．８０Ｖ以上２．２５Ｖ未満の「充電警告状態」を表している。なお、前記第二の動作状態よりもさらに電圧が低下し、前記計時装置を強制的に低下させる電圧状態を示す第三の動作状態を「マイコン強制停止状態」と定義する。
【００３５】
残容量レベルの表示は上記のように二次電池１４の出力電圧に応じて、表示手段５の状態を変化させている。例えば、出力電圧が２．２５Ｖ以上２．３５Ｖ未満であれば、図５の計測装置の外観図に示すように、残容量レベルは「Ｌ１」であることを表示し、クロノグラフ計測が十分可能な電圧であることを表示する。この時、表示手段５の秒針２１は１秒運針を行ない、秒針２１に連動して分針２２、時針２３も運針される。
【００３６】
また二次電池１４の出力電圧が２．２５Ｖから１．８Ｖの間に下がったときは、図６の外観図に示すように残容量レベルは「ＣＨＡＲＧＥ」を示し、使用者に充電するように警告する。この時、クロノグラフがラン中でなければ、充電を促すために表示手段５の秒針２１は２秒運針（２秒毎に２ステップ送り）され、「充電警告状態」であることをよりわかりやすく使用者に知らせるようになっている。
【００３７】
［クロノグラフがリセット状態の時の動作］
まず、クロノグラフがリセット状態において、二次電池１４の出力電圧が２．２５Ｖ以
上の通常動作可能な電圧状態から２．２５Ｖ未満に下がったときの場合の動作を図９のフローチャートを用いて説明する。図９において、二次電池１４の出力電圧は、計測装置７が通常動作可能な２．２５Ｖ以上２．３５Ｖ未満の状態であると仮定する。ステップ１で二次電池１４の出力電圧が２．２５Ｖ以上２．３５Ｖ未満であるから、残容量レベルを「充電量小」を表わす「Ｌ１表示」としＳ２の「時計機能１秒運針」の処理に進む。Ｓ２で「時計機能を１秒運針」させ、Ｓ３の「クロノ機能可能状態」の処理に進む。Ｓ３で「クロノ機能可能状態」の設定としＳ４に進む。すなわち、クロノグラフがリセット状態であり、スタート状態への移行準備状態を維持する。
【００３８】
Ｓ４で二次電池１４の出力電圧を検出して、「２．２５Ｖ以上か否か」を判断し、「Ｙ」ならば、Ｓ１に戻る。「Ｎ」のときはＳ５に進んで「ＣＨＡＲＧＥ表示」の処理に進み、残容量レベルを「充電警告状態」を表わす「ＣＨＡＲＧＥ」とし、Ｓ６に進む。Ｓ６で「クロノラン中か否か」を判断し、この場合はリセット状態であるため「Ｎ」となりＳ１２の「クロノ動作停止・時計機能２秒運針」の処理に進み、秒針２１は充電を促す為の２秒運針を開始してＳ１３に進む。Ｓ１３では、再び「２．２５Ｖ以上か否か」を判断する。「Ｙ」であればＳ１の「Ｌ１表示」に戻る。「Ｎ」であればＳ１４の「１．８０Ｖ未満か否か」を判断し、「Ｙ」であればＳ１５の「マイコン強制停止状態」の処理に移行し、「Ｎ」であればＳ１２の「時計機能２秒運針」の処理に戻る。
【００３９】
［クロノグラフがラン状態の時の動作］
次に、クロノグラフがラン状態において、二次電池１４の出力電圧が２．２５Ｖ以上の通常動作可能な電圧状態から２．２５Ｖ未満に下がったときの場合の動作を図９のフローチャートを用いて説明する。図９において、二次電池１４の出力電圧は、計測装置７が通常動作可能な２．２５Ｖ以上２．３５Ｖ未満の状態であると仮定し、Ｓ１からＳ４までの処理については、クロノグラフがリセット状態の場合の動作と同様のため、省略し、Ｓ５の「ＣＨＡＲＧＥ表示」の処理から説明する。
【００４０】
Ｓ５の「ＣＨＡＲＧＥ表示」からＳ６の「クロノラン状態中の可否」を判断し、この場合はラン状態であるため「Ｙ」となり、Ｓ７に進む。Ｓ７で「クロノラン状態を継続」し、Ｓ８に進む。Ｓ８の「時計機能は１秒運針」を継続してＳ９に進み、クロノグラフをストップする操作スイッチＡが操作されたか否かの「操作スイッチＡ操作の可否」を判断する。「Ｙ」であれば、クロノストップ状態となるためＳ１２に進み、「クロノ動作停止・時計機能２秒運針」の処理に進み、秒針２１は２秒運針となり充電を促す運針を開始し、クロノグラフを停止後にクロノ動作を禁止してＳ１３に進む。「Ｎ」であれば、Ｓ１０に進み、「クロノタイムアップの可否」を判断する。「Ｙ」であれば「クロノ動作停止・時計機能２秒運針」の処理に進み、秒針２１は２秒運針となり充電を促す運針を開始し、クロノグラフが停止した状態でクロノ動作を禁止する。「Ｎ」であればＳ１１の「２．２５Ｖ以上か否か」を判断する。「Ｎ」であればさらにＳ２０の「１．８０Ｖ未満か否か」を判断し「Ｙ」であればＳ２１の「マイコン強制停止状態」の処理に移行し、「Ｎ」であればＳ７の「クロノラン継続」に戻る。Ｓ１１の「２．２５Ｖ以上か否か」の判断が「Ｙ」だったらＳ１の「Ｌ１表示」に戻る。
【００４１】
［クロノグラフがストップ状態の時の動作］
クロノグラフがストップ状態において、二次電池１４の出力電圧が２．２５Ｖ以上の通常動作可能な電圧状態から２．２５Ｖ未満に下がったときの場合の動作について説明は、クロノグラフがリセット状態の場合と同様のため省略する。
【００４２】
次に、残容量レベル表示が「Ｌ１」から「ＣＨＡＲＧＥ」に切り替える電圧設定値の決め方を、図２の本発明の計測装置の電池電圧と経過時間の関係を示す相関図と、図４の本発明の計測装置のクロノ動作１２時間分に必要なの消費電力量を表す図を用いて説明する
。
【００４３】
図２において、本発明では二次電池１４の電圧が充電警告状態に入る直前から計測動作を行った場合でも、最低１２時間分はクロノラン状態を維持できるように設定されている。すなわち、本発明では、クロノ動作が１２時間維持される計測動作の消費量を予め測定しておき、消費される電力量により、電圧を設定している。例えば、図４に示すように、クロノグラフの動作において１２時間で消費される電圧レベルの変化が０．２５Ｖと測定できていれば、一般的なマイコン強制停止電圧である１．８０Ｖからクロノ１２時間で消費される０．２５Ｖを足し、さらに、図７に示すように時計動作により２週間で消費される電圧レベルの変化が０．２Ｖとあらかじめ測定できているので、０．２Ｖをさらに加え、合計すると０．４５Ｖの消費分となるため、第二の動作に移行する電圧は１．８０Ｖから０．４５Ｖを足して「２．２５Ｖ」と設定している。
【００４４】
以上のことから、クロノ動作中に２．２５Ｖを下回り、クロノラン状態は維持していてもクロノ動作１２時間分は確保されているので急に計測動作を止めるという制御は不要となり、いつのまにか電池電圧が無くなり計測が出来なくなるという計測動作に対する不安は解消された。
【００４５】
しかしながら、クロノ動作１２時間分は確保されているのにもかかわらず、図９のフローチャートのＳ９に示すようにクロノラン状態で操作スイッチＡ１７の操作が行われた場合、クロノタイムアップを待たずに充電警告状態に移行させている。この理由について、図８を用いて説明する。
【００４６】
図８に示すように、２．２５Ｖを下回った電圧で６時間経過した時点で操作スイッチＡ１７の操作によりクロノがストップされ、その後時計動作が２週間経過したとする。この状態で、再びクロノリスタート動作が行われた場合、クロノ動作中にマイコン強制停止電圧である１．８Ｖ未満まで落ちてしまう危険がある。
【００４７】
従って、本発明では２．２５Ｖを下回った電圧でクロノストップ操作が行われた場合は、以降のクロノ動作を禁止し、時計状態のみ動作させ充電警告状態に移行するようにした。
【００４８】
使用者はクロノラン中、２．２５Ｖ以下になったことがわからないため、残容量針２７を「ＣＨＡＲＧＥ」位置に移行させることで、使用者に対し残容量がクロノ動作１回分しか残っていないことを知らせるようにしている。
【００４９】
なお、本実施例では、計測装置が有する時間計測機能としてクロノグラフを一例として説明しているが、クロノグラフの代わりに同様に時間を計測する機能である減算タイマー等の機能であってもよいことは明らかである。
【図面の簡単な説明】
【００５０】
【図１】本発明の計測装置の回路構成図である。
【図２】本発明の計測装置の電池電圧と経過時間の関係を示す相関図で、計測装置の通常動作状態からマイコン強制停止状態に至るまでの関係を示す図である。
【図３】従来の計測装置の電池電圧と経過時間の関係を示す相関図である。
【図４】本発明の計測装置のクロノ動作１２時間分に必要なの消費電力量を表す図である。
【図５】本発明の計測装置の外観図で、二次電池の残容量レベルが「Ｌ１」レベルであることを示す外観図である。
【図６】本発明の計測装置の外観図で、二次電池の残容量レベルが「ＣＨＡＲＧＥ」レベルであることを示す外観図である。
【図７】従来の計測装置の時計動作２週間分に必要な消費電力量を示す図である。
【図８】本発明の計測装置がクロノ６時間経過後にストップし、時計動作２週間経過後、再びリスタートされたときの電池電圧の消費量と二次電池電圧との相関図である。
【図９】本発明の計測装置の動作を示すフローチャートである。
【図１０】従来の計測装置の動作を示すフローチャートである。
【符号の説明】
【００５１】
１  基準信号発生手段
２  時間計測手段
３  制御手段
４  電源装置
５  表示手段
６  外部入力手段
７  計測装置
８  発振器
９  分周回路
１０  ＲＡＭ
１１  ＲＯＭ
１２  制御装置（ＣＰＵ）
１３  電圧検出手段
１４  二次電池
１５  発電検出手段
１６  発電手段
１７  操作スイッチＡ
１８  操作スイッチＢ
１９  時刻表示部
２０  クロノグラフ表示部
２１  秒針
２２  分針
２３  時針
２４  クロノ１／５秒針
２５  クロノ分針
２６  クロノ時針
２７  残容量針
２８  残容量表示部
１０１  時刻タイマー手段
１０２  クロノタイマー手段
【図１】
2006098073.tif 000003
【図２】
2006098073.tif 000004
【図３】
2006098073.tif 000005
【図４】
2006098073.tif 000006
【図５】
2006098073.tif 000007
【図６】
2006098073.tif 000008
【図７】
2006098073.tif 000009
【図８】
2006098073.tif 000010
【図９】
2006098073.tif 000011
【図１０】
2006098073.tif 000012